(57)【要約】【課題】前段ポケットの上端開口を大きく開くことができ、しかも、前段ポケットの形状に丸みを持たせてデザイン的に見た目の優美さを向上させることができるランドセルを提供する。【解決手段】ランドセル本体１２の前板１５に設けた前段ポケット１６が、周壁板１７とポケット板１８とで形成され、前記周壁板１７における両側の側壁部が円弧縁ａに形成され、前記ポケット板１８は、下部両側縁を前記周壁板１７の側壁部に形成した円弧縁ａに縫合し、その下縁を前記前板１５に縫着することで下部に円弧形状の形付けが施され、前記周壁板１７とポケット板１８間の開口をスライドファスナー２０で開閉自在とした。【選択図】図１
2010131057.tif 000002
【特許請求の範囲】
【請求項１】
ランドセル本体の前板に前段ポケットを設けたランドセルにおいて、
前記前段ポケットが、前記前板に全長を縫着した周壁板と、この周壁板の両側下部と前板に縫着したポケット板とで形成され、
前記周壁板は、上壁部とその両端から下向きに連なる両側の側壁部を有し、前記両側の側壁部の下端部でポケット板を縫合する側縁が、前板と縫合する側縁に向けて下方へ幅が狭まる円弧縁に形成され、
前記ポケット板は、前記周壁板で囲まれた部分に適合する大きさを有し、下部両側縁を前記周壁板の側壁部に形成した円弧縁に縫合し、その下縁を前記前板に縫着することで下部に円弧形状の形付けが施され、
前記周壁板とポケット板間の上端部とそれに連なる両側縁の縫着していない部分が開口となり、この開口をスライドファスナーで開閉自在としたことを特徴とするランドセル。
【発明の詳細な説明】
【技術分野】
【０００１】
この発明は、ランドセル、更に詳しくは、ランドセル本体の前面に各種小物類を収納するために設けた前段ポケットの構造に関する。
【背景技術】
【０００２】
図４のように、一般的なランドセル１は、ランドセル本体２の前板３の前面に、各種小物類を収納するための前段ポケット４が設けられている。
【０００３】
従来の一般的な前段ポケット４は、前板３に対して同様の幅と高さ寸法が少し短い角形のポケット板５と、下部マチ部とその両端から上方に連成された両側マチ部を備えたマチ部材６を用い、このマチ部材６をランドセル本体２の前板３に縫着し、前記ポケット板５の上辺を除く三辺をマチ部材６に縫着することによって、上端が開口する袋状に形成され、前記マチ部材６によって内部に収納空間を確保する構造になっている。
【発明の開示】
【発明が解決しようとする課題】
【０００４】
ところで、従来の前段ポケット４は、マチ部材６によって上端開口の開口幅が制限されるので、上端開口を大きく開くことができないことになり、このため、各種小物類の出し入れが行いにくいと共に、収納した各種小物類を確認しにくいという不便がある。
【０００５】
また、従来の前段ポケット４は、角形に形成されたポケット板５の三辺をマチ部材６で前板３に取付けた構造になっているので、前板３から前方に向けて角形のポケット板５が突き出たような形状となり、このため、前段ポケット４の全体外形が角張り、デザイン的に見た目の優美さに欠けるという問題がある。
【０００６】
そこで、この発明の課題は、前段ポケットの上端開口を大きく開くことができ、各種小物類の出し入れや収納した各種小物類の確認が容易に行え、しかも、前段ポケットの形状に丸みを持たせ、デザイン的に見た目の優美さを向上させることができるランドセルを提供することにある。
【課題を解決するための手段】
【０００７】
上記の課題を解決するため、この発明は、ランドセル本体の前板に前段ポケットを設けたランドセルにおいて、前記前段ポケットが、前記前板に全長を縫着した周壁板と、この周壁板の両側下部と前板に縫着したポケット板とで形成され、前記周壁板は、上壁部とその両端から下向きに連なる両側の側壁部を有し、前記両側の側壁部の下端部でポケット板を縫合する側縁が、前板と縫合する側縁に向けて下方へ幅が狭まる円弧縁に形成され、前記ポケット板は、前記周壁板で囲まれた部分に適合する大きさを有し、下部両側縁を前記周壁板の側壁部に形成した円弧縁に縫合し、その下縁を前記前板に縫着することで下部に円弧形状の形付けが施され、前記周壁板とポケット板間の上端部とそれに連なる両側縁の縫着していない部分が開口となり、この開口をスライドファスナーで開閉自在としたものである。
【０００８】
ここで、上記前段ポケットの形成に用いる周壁板は、両側の側壁部の下端部が、別部材の広幅側板によって一段広幅となり、この広幅側板のポケット板を縫合する側縁の下部が円弧縁に形成され、前記ポケット板の両側下部が前記広幅側板に縫合されることにより、下部に円弧形状の形付けが施されることになる。
【０００９】
また、周壁板と広幅側板の幅の差は、前段ポケットの開口を開閉するスライドファスナーの幅に見合うものとなり、このスライドファスナーで開閉自在となる開口の長さは、ポケット板の上端部とその両側から連なって広幅側板の上端に達するまでの間になり、これにより、スライドファスナーを開にしてポケット板の上部を前方に引くことにより、開口を大きく開くことができる。
【発明の効果】
【００１０】
この発明によると、前段ポケットを形成するポケット前板の下部に円弧形状の形付けを施したので、前段ポケットの下部形状が丸みを持つことにより、デザイン的に見た目の優美さを向上させることができる。
【００１１】
また、前段ポケットの開口を、ポケット板の上端部とその両側から連なって両側下部寄りに達する長さに設定でき、これによって、前ポケットの開口部を大きく開くことができ、各種小物類の出し入れが行いやすく、収納した各種小物類の確認が容易になる。
【発明を実施するための最良の形態】
【００１２】
以下、この発明の実施の形態を図示例に基づいて説明する。
【００１３】
図１乃至図３のように、この発明のランドセル１１は、収納部となるランドセル本体１２に背負い帯１３や被せ蓋１４を設けた周知の構造を有し、前記ランドセル本体１２における前板１５の前面に前段ポケット１６が設けられている。
【００１４】
上記前段ポケット１６は、前記前板１５に全長を縫着した周壁板１７と、この周壁板１７の両側下部と前板１５の下部に縫着したポケット板１８及び、前段ポケット１６の開口１９を開閉するスライドファスナー２０とを用いて形成されている。
【００１５】
上記周壁板１７は、図示の場合、前板１５の幅方向に沿わせる上壁部１７ａとその両端から下向きに連なる両側の側壁部１７ｂと、両側の側壁部１７ｂの端部に縫着した別部材の広幅側板１７ｃとで形成され、前記上壁部１７ａと両側の側壁部１７ｂは、長い一枚の帯状素材を用い、その両端部に広幅側板１７ｃを縫着したものを示したが、上壁部１７ａと両側の側壁部１７ｂ及び広幅側板１７ｃを一枚のシートから一体に裁断するようにしてもよい。
【００１６】
上記広幅側板１７ｃは、ポケット板１８を縫合する側縁の途中から下端部が、前板１５と縫合する側縁に向けて下方へ幅が狭まる円弧縁ａに形成され、この広幅側板１７ｃと周壁板１７の幅の差は、前段ポケット１６の開口１９を開閉するスライドファスナー２０の幅に見合うものとなっている。
【００１７】
上記ポケット板１８は、前板１５と同様の幅で上記周壁板１７で囲まれた部分に適合する大きさを有し、下部両側縁を上記広幅側板１７ｃの円弧縁ａを形成した側縁の全長に縫合し、その下縁を前記前板１５の下縁に縫着する。
【００１８】
このように、ポケット板１８の下部両側縁を広幅側板１７ｃの円弧縁ａを形成した側縁に縫合すると、ポケット板１８の下部が円弧縁の形状に沿った弧状の形付けが施されることになり、また、下縁を前記前板１５の下縁に縫着することで、前段ポケット１６内の下部が閉鎖される。
【００１９】
上記周壁板１７とポケット板１８間の上端部とそれに連なる両側縁は、縫着しないことにより遊離する開口１９となり、この開口１９は、前段ポケット１６の上部から両端が両側下部の広幅側板に達する連続したものとなり、ポケット板１８の上部を外側に引くことで大きく開放させることができ、また、前記開口１９はスライドファスナー２０で開閉自在になっている。
【００２０】
このスライドファスナー２０は、周壁板１７のポケット板１８に向く側縁の全長と、ポケット板１８の上端部とそれに連なる両側縁に沿ってそれぞれファスナー帯２０ａ、２０ａを縫着し、両ファスナー帯２０ａ、２０ａを一個又は二個のスライダー２０ｂで係脱させる構造になっている。
【００２１】
なお、図示の場合、ポケット板１８の前面に名札入れ２１を設け、前段ポケット１６の内部に小物ポケット２２を設けた例を示している。
【００２２】
この発明のランドセル１１は、上記のような構成であり、図３のように、被せ蓋１４を開いた状態で、前段ポケット１６の全体が見えることになり、この前段ポケット１６は、ポケット板１８の下部が円弧状に形付けされているので、下部形状が丸みを持つことにより、デザイン的に見た目の優美さを向上させることができると共に、角張った部分の突出がないので、手に対して優しい構造になる。
【００２３】
上記前段ポケット１６に対して小物を出し入れするには、スライドファスナー２０のスライダー２０ｂを開方向へ移動させ、図１のように、開口１９の端部に位置させれば、ファスナー帯２０ａ、２０ａが切離され、ポケット板１８の上部を外側に引くと、開口の両端となる広幅側板１７ｃの上端縁の部分を基点にポケット板１８が外方へ倒れることで開口１９を大きく開くことができ、各種小物類の出し入れや収納したものの確認が容易に行えることになる。
【００２４】
また、前段ポケット１６の開口１９を閉じる場合は、スライダー２０ｂを閉じる方向に移動させ、両ファスナー帯２０ａ、２０ａを係合すればよい。
【図面の簡単な説明】
【００２５】
【図１】この発明に係るランドセルの被せ蓋を開いた状態を示す斜視図
【図２】この発明に係るランドセルの前ポケットの部分を切り欠いた側面図
【図３】この発明に係るランドセルの被せ蓋を開いて前段ポケットを下から見た状態を示す斜視図
【図４】従来のランドセルにおける前ポケットを示す斜視図
【符号の説明】
【００２６】
１１        ランドセル
１２        ランドセル本体
１３        背負い帯
１４        被せ蓋
１５        前板
１６        前段ポケット
１７        周壁板
１７ａ      上壁部
１７ｂ      側壁部
１７ｃ      広幅側板
１８        ポケット板
１９        開口
２０        スライドファスナー
ａ          円弧縁
【図１】
2010131057.tif 000003
【図２】
2010131057.tif 000004
【図３】
2010131057.tif 000005
【図４】
2010131057.tif 000006